(57)【要約】      （修正有）【課題】データゾーンの最内周位置と最外周位置との間で磁気ヘッドを移動させるアクチュエータを有した磁気ディスク装置に関し、アクチュエータに振動が発生するのを防止すること。【解決手段】揺動することにより磁気ヘッドをデータゾーン３２の最内周位置ＰＩＮと最外周位置ＰＯＵＴとの間で移動させるアクチュエータ２２と、着磁センタ５８を介してＮ極とＳ極が対峙した構成のマグネット５５を有しておりアクチュエータ２２を揺動させるボイスコイルモータとを有する磁気ディスク装置において、ヘッドスライダ１４がデータゾーン３２の最内周位置ＰＩＮにある時のコイルアーム５２のコイル中心Ｃと着磁センタ５８との離間距離θ３ＩＮと、ヘッドスライダ１４がデータゾーン３２の最外周位置ＰＯＵＴにある時のコイルアーム５２のコイル中心Ｃと着磁センタ５８との離間距離θ３ＯＵＴとを略等しく設定する（θ３ＩＮ=θ３ＯＵＴ）。【選択図】  図９
2005243177.tif 000002
【特許請求の範囲】
【請求項１】
データゾーンが形成された磁気ディスクと、
磁気ヘッドを搭載したヘッドスライダとボイスコイルとを有しており、揺動することにより前記磁気ヘッドを前記データゾーンの最内周位置と最外周位置との間で移動させるアクチュエータと、
前記ボイスコイルと、該ボイスコイルに対向するよう配設されており着磁センタを介してＮ極とＳ極が対峙した構成のマグネットとを有しており、前記アクチュエータを揺動させるボイスコイルモータとを有する磁気ディスク装置において、
前記磁気ヘッドが前記データゾーンの最内周位置にある時の前記コイルのコイル中心と前記着磁センタとの離間距離と、
前記磁気ヘッドが前記データゾーンの最外周位置にある時の前記コイルのコイル中心と前記着磁センタとの離間距離とを略等しくしたことを特徴とする磁気ディスク装置。
【請求項２】
データゾーンが形成された磁気ディスクと、
磁気ヘッドを搭載したヘッドスライダとボイスコイルとを有しており、揺動することにより前記磁気ヘッドを前記データゾーンの最内周位置と最外周位置との間で移動させるアクチュエータと、
前記コイルと、該コイルに対向するよう配設されており着磁センタを介してＮ極とＳ極が対峙した構成のマグネットとを有しており、前記アクチュエータを揺動させるボイスコイルモータとを有する磁気ディスク装置において、
前記磁気ヘッドが前記データゾーンの中央位置にある時の前記ボイスコイルのコイル中心と前記着磁センタとが略一致するよう構成したことを特徴とする磁気ディスク装置。
【請求項３】
データゾーンが形成された磁気ディスクと、
磁気ヘッドを搭載したヘッドスライダとボイスコイルとを有しており、揺動することにより前記磁気ヘッドを前記データゾーンの最内周位置と最外周位置との間で移動させるアクチュエータと、
前記ボイスコイルと、該ボイスコイルに対向するよう配設されており着磁センタを介してＮ極とＳ極が対峙した構成のマグネットとを有しており、前記アクチュエータを揺動させるボイスコイルモータとを有する磁気ディスク装置において、
前記磁気ヘッドが前記データゾーンの最内周位置にある時の、前記着磁センタに近接した側の前記ボイスコイルのコイル部と、前記着磁センタとの離間距離と、
前記磁気ヘッドが前記データゾーンの最外周位置にある時の、前記着磁センタに近接した側の前記ボイスコイルのコイル部と、前記着磁センタとの離間距離とを略等しくしたことを特徴とする磁気ディスク装置。
【請求項４】
請求項１乃至３のいずれか１項に記載の磁気ディスク装置において、
前記マグネットの前記Ｎ極と前記Ｓ極は、前記着磁センタを介して非対称な構成であることを特徴とする磁気ディスク装置。
【請求項５】
データゾーンが形成された磁気ディスクと、
磁気ヘッドを搭載したヘッドスライダとボイスコイルとを有しており、揺動することにより前記磁気ヘッドを前記データゾーンの最内周位置と最外周位置との間で移動させるアクチュエータと、
前記ボイスコイルと、該ボイスコイルに対向するよう配設されており着磁センタを介してＮ極とＳ極が対峙した構成のマグネットとを有しており、前記アクチュエータを揺動させるボイスコイルモータとを有する磁気ディスク装置において、
前記ボイスコイルを略台形形状とすると共に、該ボイスコイルの両側部分を延長した線の交点を、前記アクチュエータの揺動中心に対し、前記磁気ヘッドの配設側に位置するよう構成したことを特徴とする磁気ディスク装置。
【発明の詳細な説明】
【技術分野】
【０００１】
本発明は磁気ディスク装置に係り、特に磁気ディスクに設けられたデータゾーンの最内周位置と最外周位置との間で磁気ヘッドを移動させるアクチュエータを有した磁気ディスク装置に関する。
【背景技術】
【０００２】
磁気ディスクに対して情報の記録或いは再生を行う磁気ディスク装置では、ヘッドイダ（磁気ヘッド）と磁気ディスク表面との接触による磨耗を避ける必要がある。そのため、磁気ディスク装置の非動作時はヘッドスライダがディスク表面に接触し、磁気ディスク装置の動作時（情報の記録または再生時）は回転する磁気ディスクの表面を浮上するコンタクト・スタート・ストップ方式（ＣＳＳ方式）が採用されている。
【０００３】
ＣＳＳ方式の磁気ディスク装置においては、磁気ディスクに対して情報の記録または再生を行う磁気ヘッドを搭載するヘッドスライダは、磁気ディスク装置が動作時は、磁気ディスクの回転によって発生する空気流を受けて浮上する。そして、情報を記録または再生するときは、ヘッドスライダはアクチュエータにより回転する磁気ディスクの表面を浮上しながら移動し、磁気ディスクの所定のトラック上に位置づけられる。具体的には、磁気ディスクには、データゾーンが形成されており、磁気ヘッドはアクチュエータにより、このデータゾーンの最内周位置と最外周位置との間で移動する（特許文献１参照）。
【０００４】
一方、磁気ディスク装置が非動作状態にあるときは、ヘッドスライダは磁気ディスク面に設けられたＣＳＳゾーン上に位置する。また、磁気ディスク装置が非動作状態にあるときは、磁気ディスクの回転は停止しているため、ヘッドスライダを浮上させる空気流は発生せず、ヘッドスライダはＣＳＳゾーンに接している。ＣＳＳゾーンは、磁気ディスクの前記データゾーンの最内周位置よりも更に内周位置、或はデータゾーンの最外周位置よりも更に外周位置に設けられている（通常は、最内周位置に設けられている）。
【０００５】
図１乃至図７は、従来の磁気ヘッド装置１００の構成を説明するための図である。図１及び図２は、従来の磁気ヘッド装置１００のアクチュエータ１２２の近傍のみを拡大して示している。
【０００６】
図示されるように、磁気ヘッドが搭載されたヘッドスライダ１０４を支持するアクチュエータ１２２は、支軸１４０に揺動可能に軸承されている。このアクチュエータ１２２の支軸１４０より前方部分には、支持アーム１２４及び支持バネ１２５を介してヘッドスライダ１０４が設けられている。
【０００７】
一方、アクチュエータ１２２の支軸１４０よりも後端部分には、コイルアーム１５２が設けられており、このコイルアーム１５２にはボイスコイル１５１が実装されている。ボイスコイル１５１は、図４に示すように、上側ヨーク１５４の下面に設けられた上側マグネット１５６と、下側ヨーク１５３の上面に設けられた下側マグネット１５５がつくり出す磁界の中に位置するよう構成されている。これら、ボイスコイル１５１、下側ヨーク１５３、上側ヨーク１５４、下側マグネット１５５、上側マグネット１５６等によりアクチュエータ１２２を回動させるボイスコイルモータ１２３（ＶＣＭ）が構成される。
【０００８】
また、磁気ディスク１０１は、スピンドルモータ１１２により所定回転数で回転される構成とれされている。この磁気ディスク１０１には、データゾーン１３２が形成されている。よって、ヘッドスライダ１０４は、データゾーン１３２の最外周位置ＰＯＵＴと最内周位置ＰＩＮとの間で移動する。また、磁気ディスク１０１の最内周位置ＰＩＮよりも更に内周位置に、ＣＳＳゾーン１３１が設けられている。
【０００９】
また図３は、従来の磁気ヘッド装置１００に設けられているアクチュエータ１２２を拡大して示している。同図に示すように、ボイスコイルモータ１２３を構成するボイスコイル１５１はコイルアーム１５２に取り付けられているが、このボイスコイル１５１は一般に略台形の形状を有している。そして、このボイスコイル１５１の側部コイル１５１Ａ，１５１Ｂの延長線（矢印Ｂ１，Ｂ２で示す）の交点は、アクチュエータ１２２の回動中心（即ち、支軸１４０の中心位置）と一致するよう構成されていた。
【００１０】
更に、図６は従来のボイスコイルモータ１２３を構成するマグネット１５５，１５６を示している。図６では、図示の便宜上、下側マグネット１５５のみを示し説明するが、上側マグネット１５６も同一構成とされている。
【００１１】
下側マグネット１５５はＮ極マグネット部１５５ＮとＳ極マグネット部１５５Ｓとにより構成されており、このＮ極マグネット部１５５ＮとＳ極マグネット部１５５Ｓとは対峙した構成とされている（以下、このＮ極マグネット部１５５ＮとＳ極マグネット部１５５Ｓとが対峙する位置を着磁センタ１５８というものとする）。従来、このＮ極マグネット部１５５ＮとＳ極マグネット部１５５Ｓは、着磁センタ１５８を介して対称な構成とされていた。即ち、下側マグネット１５５の着磁センタ１５８を中心とした左右の距離（図では角度として示している）が等しく設定されていた（θＮ=θＳ）。
【００１２】
尚、ボイスコイルモータ１２３の両側位置にはストッパ１２７Ａ，１２７Ｂが設けられており、アクチュエータ１２２が所定停止位置を越えて揺動するのを防止する構成とされている。
【特許文献１】特開２００１−３５１０３号公報
【発明の開示】
【発明が解決しようとする課題】
【００１３】
ところで、下側マグネット１５５と上側マグネット１５６は、図４に示すように、下側マグネット１５５のＮ極マグネット部１５５Ｎと上側マグネット１５６のＳ極マグネット部１５６Ｓとが対向し、下側マグネット１５５のＳ極マグネット部１５５Ｓと上側マグネット１５６のＮ極マグネット部１５６Ｎとが対向するよう構成されている。よって、下側マグネット１５５と上側マグネット１５６との間には、基本的には垂直方向（図４中、上下方向）の磁力が発生し、この垂直磁力内にボイスコイル１５１が位置することにより、フレミングの法則に従いボイスコイル１５１には図４中水平方向の力（以下、駆動力という）が発生する。この駆動力によりアクチュエータ１２２は支軸１４０を中心として揺動される。
【００１４】
図５は、各マグネット１５５，１５６の着磁センタ１５８，１５９の近傍を拡大して示したものである。また同図において、矢印で示すのは各マグネット１５５，１５６で発生する磁力の磁力線である。この図より明らかなように、各マグネット１５５，１５６の着磁センタ１５８，１５９の近傍では、磁力線は完全な垂直方向（図中、上下方向）とはならず、若干傾いた磁界を形成している。
【００１５】
従って、この傾いた磁界を形成している領域をボイスコイル１５１が通過した場合、フレミングの法則により発生する駆動力は、水平方向ばかりでなく、分力されて垂直方向への成分（以下、この分力を不要駆動力という）を含むようになる。よって、不要駆動力がボイスコイル１５１に印加された場合、アクチュエータ２２に振動が発生してしまう。
【００１６】
従来の磁気ヘッド装置１００では、図１に示すようにヘッドスライダ１０４が最内周位置ＰＩＮにある場合には、ボイスコイル１５１の中心位置Ｃは、着磁センタ１５８よりも図中上側に位置している（ずれ量を角度θ１ＩＮで示す）。また、図２に示すようにヘッドスライダ１０４が最外周位置ＰＯＵＴにある場合には、ボイスコイル１５１の中心位置Ｃは、着磁センタ１５８よりも図中下側に位置している（ずれ量を角度θ１ＯＵＴで示す）。
【００１７】
従来構成の磁気ヘッド装置１００は、このずれ量は、θ１ＯＵＴ＞θ１ＩＮとなっていた。即ち、従来の磁気ヘッド装置１００では、ヘッドスライダ１０４が最内周位置ＰＩＮに位置している時、側部コイル１５１Ａ（図７中、右側の側部コイル）は着磁センタ１５８に近接した状態となる構成とされていた。
【００１８】
上記の事項を、図７を用いて更に説明する。図７は、下側マグネット１５５上において、ヘッドスライダ１０４が最内周位置ＰＩＮに位置する時のボイスコイル１５１の位置（実線で示す）と、ヘッドスライダ１０４が最外周位置ＰＯＵＴに位置する時のボイスコイル１５１の位置（破線で示す）を合わせて概略的に示している。
【００１９】
同図に示すように、従来においては、ヘッドスライダ１０４が最内周位置ＰＩＮに位置する時におけるボイスコイル１５１の側部コイル１５１Ｂと着磁センタ１５８との距離（θ２ＩＮ）に対し、最外周位置ＰＯＵＴに位置する時における側部コイル１５１Ａと着磁センタ１５８との距離（θ２ＯＵＴ）が短くなっていた（θ２ＩＮ＞θ２ＯＵＴ）。
【００２０】
このように従来の磁気ヘッド装置１００では、ヘッドスライダ１０４が最外周位置ＰＯＵＴに位置する時、側部コイル１５１Ａは着磁センタ１５８の近傍に形成される磁力線が傾いた領域に側部コイル１５１Ａが位置することとなる。このため、側部コイル１５１Ａには水平方向の力（アクチュエータ１２２を駆動するための力）に加え、不要駆動力が印加されてしまい、アクチュエータ１２２に振動が発生する。このようにアクチュエータ１２２に振動が発生した場合、ヘッドスライダ１０４が磁気ディスク１０１と衝突してしまい、最悪の場合にはデータゾーン１３２に記録された情報が破損するおそれがあるという問題点があった。
【００２１】
本発明は上記の点に鑑みてなされたものであり、アクチュエータに振動が発生するのを防止しうる磁気ディスク装置を提供することを目的とする。
【課題を解決するための手段】
【００２２】
上記の課題を解決するために本発明では、次に述べる各手段を講じたことを特徴とするものである。
【００２３】
請求項１記載の発明は、
データゾーンが形成された磁気ディスクと、
磁気ヘッドを搭載したヘッドスライダとボイスコイルとを有しており、揺動することにより前記磁気ヘッドを前記データゾーンの最内周位置と最外周位置との間で移動させるアクチュエータと、
前記ボイスコイルと、該ボイスコイルに対向するよう配設されており着磁センタを介してＮ極とＳ極が対峙した構成のマグネットとを有しており、前記アクチュエータを揺動させるボイスコイルモータとを有する磁気ディスク装置において、
前記磁気ヘッドが前記データゾーンの最内周位置にある時の前記ボイスコイルのコイル中心と前記着磁センタとの離間距離と、
前記磁気ヘッドが前記データゾーンの最外周位置にある時の前記ボイスコイルのコイル中心と前記着磁センタとの離間距離とを略等しくしたことを特徴とするものである。
【００２４】
また、請求項２記載の発明は、
データゾーンが形成された磁気ディスクと、
磁気ヘッドを搭載したヘッドスライダとボイスコイルとを有しており、揺動することにより前記磁気ヘッドを前記データゾーンの最内周位置と最外周位置との間で移動させるアクチュエータと、
前記ボイスコイルと、該ボイスコイルに対向するよう配設されており着磁センタを介してＮ極とＳ極が対峙した構成のマグネットとを有しており、前記アクチュエータを揺動させるボイスコイルモータとを有する磁気ディスク装置において、
前記磁気ヘッドが前記データゾーンの中央位置にある時の前記ボイスコイルのコイル中心と前記着磁センタとが略一致するよう構成したことを特徴とするものである。
【００２５】
また、請求項３記載の発明は、
データゾーンが形成された磁気ディスクと、
磁気ヘッドを搭載したヘッドスライダとボイスコイルとを有しており、揺動することにより前記磁気ヘッドを前記データゾーンの最内周位置と最外周位置との間で移動させるアクチュエータと、
前記ボイスコイルと、該ボイスコイルに対向するよう配設されており着磁センタを介してＮ極とＳ極が対峙した構成のマグネットとを有しており、前記アクチュエータを揺動させるボイスコイルモータとを有する磁気ディスク装置において、
前記磁気ヘッドが前記データゾーンの最内周位置にある時の、前記着磁センタに近接した側の前記ボイスコイルのコイル部と、前記着磁センタとの離間距離と、
前記磁気ヘッドが前記データゾーンの最外周位置にある時の、前記着磁センタに近接した側の前記ボイスコイルのコイル部と、前記着磁センタとの離間距離とを略等しくしたことを特徴とするものである。
【００２６】
上記の請求項１乃至３に記載の発明によれば、磁気ヘッドがデータゾーンの最内周位置或いは最外周位置に位置している時、ボイスコイルモータを構成するボイスコイルと着磁センタとの距離を離すことが可能となるため、ボイスコイルにマグネットからの斜め方向の磁力が印加されることを防止でき、よってアクチュエータに振動が発生することを防止できる。
【００２７】
また、請求項４記載の発明は、
請求項１乃至３のいずれか１項に記載の磁気ディスク装置において、
前記マグネットの前記Ｎ極と前記Ｓ極は、前記着磁センタを介して非対称な構成であることを特徴とするものである。
【００２８】
また、請求項５記載の発明は、
データゾーンが形成された磁気ディスクと、
磁気ヘッドを搭載したヘッドスライダとボイスコイルとを有しており、揺動することにより前記磁気ヘッドを前記データゾーンの最内周位置と最外周位置との間で移動させるアクチュエータと、
前記ボイスコイルと、該ボイスコイルに対向するよう配設されており着磁センタを介してＮ極とＳ極が対峙した構成のマグネットとを有しており、前記アクチュエータを揺動させるボイスコイルモータとを有する磁気ディスク装置において、
前記ボイスコイルを略台形形状とすると共に、該ボイスコイルの両側部分を延長した線の交点を、前記アクチュエータの揺動中心に対し、前記磁気ヘッドの配設側に位置するよう構成したことを特徴とするものである。
【００２９】
上記の請求項５記載の発明によれば、略台形形状のボイスコイルの両側部分を延長した線の交点が、アクチュエータの揺動中心に対して磁気ヘッドの配設側に位置するよう構成したことにより、略台形形状ボイスコイルの両側部分を延長した線の交点をアクチュエータの揺動中心とした従来構成に比べ、磁気ヘッドがデータゾーンの最内周位置或いは最外周位置に位置している時、ボイスコイルと着磁センタとの距離を離すことが可能となる。このため、ボイスコイルにマグネットからの斜め方向の磁力が印加されることを防止でき、よってアクチュエータに振動が発生することを防止できる。
【発明の効果】
【００３０】
上述の如く本発明によれば、アクチュエータに振動が発生することを防止することが可能となる。
【発明を実施するための最良の形態】
【００３１】
次に、本発明を実施するための最良の形態について図面と共に説明する。
【００３２】
図８乃至図１１は、本発明の第１実施例である磁気ディスク装置１０を説明するための図である。図８は磁気ディスク装置１０の平面図であり、図９及び図１０はアクチュエータ１２２近傍を拡大して示す図である。
【００３３】
図８に示されるように、磁気ディスク装置１０は、データ記録媒体である磁気ディスク１１、磁気ディスク１１を回転駆動するスピンドルモータ１２、磁気ヘッドを搭載するヘッドスライダ１４が実装されたアクチュエータ２２、このアクチュエータ２２を揺動駆動するボイスコイルモータ（ＶＣＭ）２３等が、カバー（図示せず）とベース４２からなるエンクロージャの内部に収納された構成とされている。
【００３４】
磁気ディスク１１は、スピンドルモータ１２のロータ部に固定されている。磁気ディスク１１は、磁気ディスク装置１０の動作時（記録・再生処理時）においてスピンドルモータ１２により回転駆動され、また磁気ディスク装置１０の非動作時においては回転停止（静止）する。
【００３５】
また、本実施例に係る磁気ディスク装置１０は、ＣＳＳ(Contact Start Stop)方式を採用している。このため、磁気ディスク装置１０を非動作状態においてヘッドスライダ１４（磁気ヘッド）は磁気ディスク１１に接触した状態となる。よって、磁気ディスク１１の表面には、データおよびサーボ情報が記録されるトラックが同心円状に配置されているデータゾーン３２と、ディスクドライブが非動作状態のときにヘッドスライダ１４が退避する停止領域（ＣＳＳゾーン）３１が設けられている。
【００３６】
尚、以下の説明において、データゾーン３２の最内周の位置（ＣＳＳゾーン３１との境界位置）を最内周位置ＰＩＮといい、データゾーン３２の最外周の位置を最外周位置ＰＯＵＴというものとする。また、本実施例ではＣＳＳゾーン３１が磁気ディスク１１の内周に設けられた構成とされているが、外周にＣＳＳゾーン設けられた構成としてもよい。更に、磁気ディスク１１の数は、単数であってもまた複数枚搭載した構成としてもよい。
【００３７】
アクチュエータ２２は、ベース４２に立設された支軸４０に揺動自在に軸承されている。このアクチュエータ２２は支持アーム２４とコイルアーム５２とを有しており、支持アーム２４とコイルアーム５２は支軸４０を挟んで互いに反対側になるように配設されている。支持アーム２４の先端部には、ヘッドスライダ１４にバネ圧を与える支持バネ２５が取り付けられている。
【００３８】
ヘッドスライダ１４は、磁気ディスク１１に対向するよう配設されている。このヘッドスライダ１４には、図示されない制御部からのデータを磁気ディスク１１の表面のトラックに記録し、また、トラックに記録されたデータを読み込んで制御部に送る磁気ヘッド（図示されない）が搭載されている。このヘッドスライダ１４は、磁気ディスク装置１０が非動作の時は磁気ディスク１１のインナー領域に設けられたＣＳＳゾーン３１に接し、磁気ディスク装置１０が動作状態にあるときは回転する磁気ディスク１１の表面を浮上する。
【００３９】
ボイスコイルモータ２３（ＶＣＭ）は、コイルアーム５２に実装されたボイスコイル５１、下側ヨーク５３及び上側ヨーク５４、下側ヨーク５３の上面に着設された下側マグネット５５、上側ヨーク５４の下面に着設された上側マグネット５６等により構成されている。また、下側及び上側マグネット５５，５６は、それぞれＮ極マグネット部５５Ｎ，５６ＮとＳ極マグネット部５５Ｓ，５６Ｓとにより構成されている。
【００４０】
そして、このＮ極マグネット部５５ＮとＳ極マグネット部５５Ｓとは面方向に対峙しており、その境界部分に着磁センタ５８を形成している。同様に、Ｎ極マグネット部５６ＮとＳ極マグネット部５６Ｓとは面方向に対峙しており、その境界部分に着磁センタ５９を形成している。
【００４１】
尚、図示の便宜上、本実施例に用いる図８乃至図１１において、上側ヨーク５４及び上側マグネット５６の図示は省略するものとする。また、特にことわらない限り、以下の説明において上側及び下側ヨーク５３，５４を総称してヨーク５３と、上側及び下側マグネット５５，５６を総称してマグネット５５というものとする。
【００４２】
上記のボイスコイル５１には、図示しない制御部から駆動電流が供給される構成とされている。ボイスコイル５１は略台形形状を有しており、コイルアーム５２に取り付けられた構成とされている。本実施例では、このボイスコイル５１の両側部分のコイル部を特に側部コイル５１Ａ，５１Ｂというものとする。上記構成とされたボイスコイル５１は、ヨーク５３に配設されたマグネット５５と対向するよう構成されている。
【００４３】
次に、本実施例に係るボイスコイルモータ２３の詳細構成について説明する。先ず、図９及び図１０に注目する。
【００４４】
図９に示すヘッドスライダ１４が最内周位置ＰＩＮにある場合には、ボイスコイル５１の中心位置Ｃは、着磁センタ５８よりも図中上側に角度θ３ＩＮだけ離間した位置にある（本実施例では、離間距離を角度で示している）。また、図１０に示すようにヘッドスライダ１４が最外周位置ＰＯＵＴにある場合には、ボイスコイル５１の中心位置Ｃは、着磁センタ５８よりも図中下側に角度θ３ＯＵＴだけ離間した位置にある。本実施例に係る磁気ディスク装置１０では、この離間距離を示す角度θ３ＩＮ，θ３ＯＵＴが等しくなるよう構成している（θ３ＩＮ=θ３ＯＵＴ）。
【００４５】
この構成とすることにより、ヘッドスライダ１４が最内周位置ＰＩＮに位置している時であっても、また最外周位置ＰＯＵＴに位置している時であっても、ボイスコイル５１の側部コイル５１Ａ，５１Ｂと着磁センタ１５８は等しい離間距離となる。
【００４６】
上記の事項を、図１１を用いて更に説明する。図１１は、マグネット５５上において、ヘッドスライダ１４が最内周位置ＰＩＮに位置する時のボイスコイル５１の位置（実線で示す）と、ヘッドスライダ１４が最外周位置ＰＯＵＴに位置する時のボイスコイル５１の位置（破線で示す）を合わせて概略的に示したものである。
【００４７】
同図に示すように、本実施例においては、ヘッドスライダ１４が最内周位置ＰＩＮに位置する時における着磁センタ５８に近接した側の側部コイル５１Ｂと着磁センタ５８との離間距離をθ４ＩＮとし、最外周位置ＰＯＵＴに位置する時における着磁センタ５８に近接した側の側部コイル５１Ａと着磁センタ５８との離間距離をθ４ＯＵＴとした時、この各離間距離をθ４ＩＮ，θ４ＯＵＴ）は、略等しくなっている（θ４ＩＮ=θ４ＯＵＴ）。
【００４８】
また、図示しないが、上記構成とすることにより、ヘッドスライダ１４がデータゾーン３２の中心位置（即ち、最内周位置ＰＩＮと最外周位置ＰＯＵＴとの中心位置）に位置している時、ボイスコイル５１（アクチュエータ２２）の中心位置Ｃと着磁センタ５８とは略一致する。
【００４９】
このように本実施例に係る磁気ヘッド装置１０は、ヘッドスライダ１４が最外周位置ＰＯＵＴに位置する時、或はヘッドスライダ１４が最内周位置ＰＩＮに位置する時、ボイスコイル５１の側部コイル５１Ａ，５１Ｂと着磁センタ５８との離間距離を最も大きく取ることが可能となる。
【００５０】
前記したように、着磁センタ５８は斜め方向からの磁力が発生しているが、側部コイル５１Ａ，５１Ｂを着磁センタ５８から離間させることが可能となることより、斜め磁界がボイスコイル５１に作用することを防止できる。これにより、アクチュエータ２２に振動が発生することを防止でき、よってデータゾーン３２に記録されている情報が破損することを確実に防止することができる。
【００５１】
図１２は、本発明の第２実施例を説明するための図である。同図は、第２実施例に係る磁気ディスク装置のアクチュエータ３０を拡大して示す図である。尚、本実施例に係る磁気ディスク装置は、アクチュエータ３０を除き、他の構成は第１実施例に係る磁気ディスク装置１０と同一構成であるため、以下の説明ではアクチュエータ３０についてのみ説明するものとする。
【００５２】
前記したように従来の磁気ヘッド装置１００では、図３を用いて説明したように、ボイスコイル１５１の側部コイル１５１Ａ，１５１Ｂの延長線（矢印Ｂ１，Ｂ２で示す）の交点は、アクチュエータ１２２の回動中心（即ち、支軸１４０の中心位置）と一致するよう構成されていた。
【００５３】
これに対して本実施例では、ボイスコイル５１の側部コイル５１Ａ，５１Ｂを延長した線Ｄ１，Ｄ２の交点Ｂを、アクチュエータ３０の揺動中心Ａに対し、磁気ヘッドの配設側（図中、上側）に位置するよう構成したことを特徴としている。具体的には、側部コイル５１Ａ，５１Ｂを延長した線の交点Ｂは、アクチュエータ３０の揺動中心Ａに対してΔＬだけ磁気ヘッドの配設側にずれた位置にあるよう構成されている。
【００５４】
この構成とすることにより、従来の上記交点Ａをアクチュエータ３０の揺動中心Ａとした従来構成におけるコイル１５１の延長線Ｂ１，Ｂ２に比べ、ボイスコイル５１の延長線Ｄ１，Ｄ２の位置を外側に広げた構成とすることができる。図１２に示す例では、延長線Ｄ１，Ｄ２は、延長線Ｂ１，Ｂ２に比べ、外側にΔＷだけ変位した位置となっている。
【００５５】
これにより、ヘッドスライダ１４がデータゾーン３２の最内周位置ＰＩＮ或いは最外周位置ＰＯＵＴに位置している時、ボイスコイル５１（側部コイル５１Ａ，５１Ｂ）と着磁センタ５８との距離を離すことが可能となる。よって、ボイスコイル５１（側部コイル５１Ａ，５１Ｂ）に対し、着磁センタ５８の近傍に形成されている斜め磁界が印加されることを防止することができ、本実施例の構成によってもアクチュエータ２２に振動が発生することを防止できる。
【００５６】
尚、本実施例では、上側マグネットは上側ヨークに、下側マグネットは下側ヨークに夫々設けた構成を例に挙げて説明したが、マグネットを上側ヨークまたは下側マグネットのいずれか一方にのみ設けた構成としてもよい。
【図面の簡単な説明】
【００５７】
【図１】図１は、従来の一例である磁気ディスク装置の平面図であり、ヘッドスライダがデータゾーンの最内周位置に位置している状態を示す図である。
【図２】図２は、従来の一例である磁気ディスク装置の平面図であり、ヘッドスライダがデータゾーンの最外周位置に位置している状態を示す図である。
【図３】図３は、従来の一例である磁気ディスク装置に設けられるアクチュエータを拡大して示す図である。
【図４】図４は、ボイスコイルモータの構成を説明するための図である。
【図５】図５は、下側及び上側マグネットの着磁センタ近傍における磁力線の方向を示す図である。
【図６】図６は、従来における下側及び上側マグネットの構成を説明するための図である。
【図７】図７は、従来の磁気ヘッド装置で発生する問題点を説明するための図である。
【図８】図８は、本発明の一実施例である磁気ディスク装置の平面図である。
【図９】図９は、本発明の第１実施例である磁気ディスク装置のアクチュエータ近傍を拡大して示す平面図であり、ヘッドスライダがデータゾーンの最内周位置に位置している状態を示す図である。
【図１０】図１０は、本発明の第１実施例である磁気ディスク装置の平面図であり、ヘッドスライダがデータゾーンの最外周位置に位置している状態を示す図である。
【図１１】図１１は、本発明の第１実施例である磁気ディスク装置の動作を説明するための図である。
【図１２】図１２は、本発明の第２実施例である磁気ディスク装置に設けられるアクチュエータを示す図である。
【符号の説明】
【００５８】
１０  磁気ディスク装置
１１  磁気ディスク
１２  スピンドルモータ
１４  ヘッドスライダ
２２，３０  アクチュエータ
２３  ボイスコイルモータ
３２  データゾーン
４０  支軸
５１  ボイスコイル
５３  下側ヨーク
５４  上側ヨーク
５５  下側マグネット
５６  上側マグネット
５８  着磁センタ
【図１】
2005243177.tif 000003
【図２】
2005243177.tif 000004
【図３】
2005243177.tif 000005
【図４】
2005243177.tif 000006
【図５】
2005243177.tif 000007
【図６】
2005243177.tif 000008
【図７】
2005243177.tif 000009
【図８】
2005243177.tif 000010
【図９】
2005243177.tif 000011
【図１０】
2005243177.tif 000012
【図１１】
2005243177.tif 000013
【図１２】
2005243177.tif 000014